(57)【特許請求の範囲】
【請求項１】
扉の表面に固定された台座に垂直軸で枢着されると共に、水平方向に延在する操作レバーと、この操作レバーの外端に固設された縦長のハンドルと、扉面に平行な水平軸により上記台座に枢着された作用レバーと、上記操作レバーの内端及び作用レバーの内端の一方に開口した長孔及び他方に突設された垂直な駆動ピンの組からなる連係手段とを有し、上記長孔及び駆動ピンを相互に係合させることにより、連係手段を介して、操作レバーの内端と作用レバーの内端とを連結すると共に、操作レバー及び作用レバーを夫々常態位置に向け付勢し、ハンドルの押し引き操作で作用レバーを揺動変位させて錠箱のラッチを制御するとき、駆動側の長孔及び駆動ピンの一方の上記垂直軸回りの回動を従動側の他方の上記水平軸回りの回動に連係させることにより、操作レバーの回動を作用レバーの回動に変換するようにし、このとき、長孔及び駆動ピンの組で構成された連係手段が、夫々平行ではない垂直軸又は水平軸に固設された両レバーの揺動におけるねじれの現象を逃すようにしたことを特徴とする扉のハンドル装置。
【発明の詳細な説明】
【０００１】
【発明の属する技術分野】
この発明は扉のハンドル装置に関する。更に詳しくは、扉に設けられたラッチ錠を操作できる可動型のハンドル装置に関する。
【０００２】
【従来の技術】
従来のこの種のハンドル装置としては、例えば、実開平４−２７０６９号公報又は特開平８−２６０７７２号公報等に示されたものを挙げることができる。
【０００３】
しかしながら、これらのハンドル装置は、ハンドル及び作用レバー（ラッチに関連させた作動片）がいずれも水平軸をもって枢着させてあり、ハンドルを垂直軸（鉛直軸）で枢着させ、かつ作用レバーを水平軸で枢着させるようなハンドル装置に対しては、前出の公報に開示された技術をそのまま適用させることはできない。
【０００４】
【発明が解決しようとする課題】
この発明は、前述のような事情に鑑み、ハンドルの揺動軸が垂直をなし作用レバーの揺動軸が水平をなしていても、スムーズな作動が達成でき、かつ構造が簡単な扉のハンドル装置を提供することを目的として提案されたものである。
【０００５】
【課題を解決するための手段】
上記の目的を達成するため、この発明は、扉の表面に固定された台座に垂直軸で枢着されると共に、水平方向に延在する操作レバーと、この操作レバーの外端に固設された縦長のハンドルと、扉面に平行な水平軸により上記台座に枢着された作用レバーと、上記操作レバーの内端及び作用レバーの内端の一方に開口した長孔及び他方に突設された垂直な駆動ピンの組からなる連係手段とを有し、上記長孔及び駆動ピンを相互に係合させることにより、連係手段を介して、操作レバーの内端と作用レバーの内端とを連結すると共に、操作レバー及び作用レバーを夫々常態位置に向け付勢し、ハンドルの押し引き操作で作用レバーを揺動変位させて錠箱のラッチを制御するとき、駆動側の長孔及び駆動ピンの一方の上記垂直軸回りの回動を従動側の他方の上記水平軸回りの回動に連係させることにより、操作レバーの回動を作用レバーの回動に変換するようにし、このとき、長孔及び駆動ピンの組で構成された連係手段が、夫々平行ではない垂直軸又は水平軸に固設された両レバーの揺動におけるねじれの現象を逃すようにしたことを特徴とする。
【０００６】
【発明の実施の形態】
以下、図面に示す実施例に基いてこの発明について説明する。
この発明のハンドル装置は、出入口としての扉１０に設けるときは室外側及び室内側の両表面に取り付けるのが普通であるが、戸棚や物入れの扉に設けるときはその外方の面にのみ取り付ければ済む。
【０００７】
図示の実施例においては、扉１０の室外側の表面に装着したハンドル装置を示しており、室内側の表面に装着したハンドル装置についてはその表示を省略してある。
【０００８】
図１及び図２において、符号１０は扉、１は扉１０の表面に呼び付けねじ９１等で固定した台座、２は台座１の取付穴１１に嵌め込み取付ねじ９２等で固設した中空の保持枠をそれぞれ示す。
【０００９】
前記の保持枠２は１枚の板材を折り曲げて成り、コ字状の本体部２１、取付用のフランジ部２２及び後述の作用レバー７を取り付けるための一対の取付片２３、２３を備えている。符号２４は保持枠２のカバー部材である。
【００１０】
前記の保持枠２内には２つの部片、すなわち下駄状の部片３１及びＬ字状の板部片３２を結合して成る操作レバー３が垂直軸３ａ（鉛直軸）で揺動可能に枢着してあり、その外端には止めねじ９３等によりハンドル４が固定してある。
【００１１】
また、操作レバー３の内端には長孔５１が設けてあり、この長孔５１には後記の作用レバー７の駆動ピン５２が可動の状態で嵌め込んである。
【００１２】
長孔５１と駆動ピン５２の組は、操作レバー３と作用レバー７との間で作動を伝える連係手段５として働く。なお、この連係手段５において、図示例とは逆にして、長孔（５１）を作用レバー７の内端に設けると共に、駆動ピン（５２）を操作レバー３の内端に設けるようにしても同様に作動する。
【００１３】
前記の操作レバー３は製作の都合上２つの部片３１、３２で作られているが、１つの部片として製作してもよいことは勿論である。そして、ハンドル４の矢印Ａ方向への操作により共に揺動する操作レバー３は、該操作レバー３に固定されたピン６１と保持枠２に設けられた長孔６２とで構成された揺動制限手段６により、その揺動の範囲が制限される。
【００１４】
符号３３は上述の垂直軸３ａに管体を介して巻装された第１戻しばねで、両端が操作レバー３と保持枠２に掛け止められ、操作レバー３及びハンドル４を矢印Ａとは逆向きの常態位置に向け付勢させている。
【００１５】
次に、作用レバー７について詳しく述べる。作用レバー７は、保持枠２の一部をなす両側の取付片２３、２３で支持された水平軸７ａによりその保持枠２内に枢着されており、水平軸７ａに管体を介して巻装された第２戻しばね７１により常態位置に向け付勢させてある。第２戻しばね７１の両端は作用レバー７と保持枠２に掛け止められている。
【００１６】
図示例の作用レバー７の内端側はコ字状に形成され、そこに駆動ピン５２が突設してある。この駆動ピン５２は操作レバー３の内端に設けた長孔５１に嵌め込まれ、連係手段５を構成することは上述した通りである。
【００１７】
図示例のハンドル装置は扉１０の前に立った通行者（操作者）がハンドル４を手前に引くことによって開扉できるようにしてあるが、この発明のハンドル装置はハンドル４を押すことにより開扉できるようにすることもできる。
【００１８】
なお、ハンドル４を引くタイプとするか押すタイプとするかについては、扉の開き勝手によって決められる。
【００１９】
上記の作用レバー７は、扉１０内に掘り込んで設けられたラッチ錠２０のラッチ３０に連係させてあり、ハンドル４の押し引きの操作により操作レバー３及び連係手段５を介し作動される。そして、その作用レバー７の外端でラッチを後退させ又はラッチの後退を許容させ、もって開扉を可能とさせる。
【００２０】
図１において、ハンドル４及び扉１０の下方に設けた下部組立部４０、すなわち、別の保持枠２、操作レバー３、垂直軸３ａ、第１戻しばね３３及び揺動制限手段６等は、ハンドル４が縦に長いものとされているために設けたもので、そのハンドル４が短く小型のものである場合には下部組立部４０は省略することができる。
【００２１】
図に示す扉１０の閉鎖状態において、ハンドル４を手で掴み、該ハンドル４を操作レバー３と共に第１戻しばね３３に抗して矢印Ａ方向に引き垂直軸３ａの回りに揺動させると、連係手段５を介し作用レバー７が第２戻しばね７１に抗して水平軸７ａの回りに矢印Ｂ方向に揺動するので、作用レバー７の外端に連係させたラッチ錠２０のラッチ３０をストライク（図示しない）に対する係止状態から解除させることができる。そして、そのままハンドル４を引き続ければ、扉１０は矢印Ｃ方向に開放させることができる。
【００２２】
逆に、扉１０を閉鎖させハンドル４から手を離せば、変位していた各部材は戻しばね３３、７１の付勢力により、当初の常態位置に戻る。
【００２３】
前記の作動について、互に連係する操作レバー３と作用レバー７とは、それぞれの軸３ａ，７ａの向きが異なるためその係合部においてねじれの現象が生じる関係にあるが、長孔５１及び駆動ピン５２の組で構成された連係手段５は両レバー３、７の揺動におけるねじれの現象を逃がすことができ、両レバー３、７は摩擦によって引掛かったりすることがなく共にスムーズな揺動作用を呈する。
【００２４】
【発明の効果】
以上に説明したこの発明の扉のハンドル装置は、ハンドル及び操作レバーの揺動軸が垂直をなし、作用レバーの揺動軸が水平をなしているに関わらず、ラッチ錠におけるラッチの解・施錠において極めてスムーズに作動し、また、全体としての構造も極めて簡単であるという効果を奏する。
【図面の簡単な説明】
【図１】この発明の扉のハンドル装置を示す縦断側面図。
【図２】その横断平面図。
【符号の説明】
１０  扉
２０  ラッチ
３０  ラッチ
２  保持枠
３  操作レバー
３ａ  垂直軸
３３  戻しばね
４  ハンドル
５  連係手段
５１  長孔
５２   駆動ピン
７  作用レバー
７ａ  水平軸
７１  戻しばね
【図１】
0004632218.tif 000002
【図２】
0004632218.tif 000003